(57)【要約】【課題】車輪を装備して移動可能な梱包対象物の梱包・開梱作業および搬入・搬出作業を容易化できると共に作業済みの場合には再使用できる状態を維持できる構成を備えた梱包枠具を提供する。【解決手段】同一面内で垂直に設けられている一対の支柱３，４と、支柱３，４の上端間に架設されている上部連結棒５とにより構成されて梱包対象物Ｆの前面および背面にそれぞれ配置される門型のパネル枠２，２’を備え、門型のパネル枠２，２’は、上部連結棒５とは別に上記支柱の高さ方向中間部同士を連結する中間連結部材６が設けられ、梱包対象物Ｆの前面および背面側にそれぞれ位置する上部連結棒５同士には、長手方向各端部のそれぞれが連結棒に連結されて互いに交差する状態で配置されている連結手段１００，１００’が設けられ、連結手段１００，１００’が交差角を変更されることにより上記上部連結棒同士が互いに接離する方向に変位することを特徴とする。【選択図】　　　図５
2004075194.tif 000002
【特許請求の範囲】
【請求項１】
４隅に支柱を有し、梱包対象物の周囲を囲繞可能な梱包枠具であって、
同一面内で垂直に設けられている一対の支柱と、上記支柱の上端間に架設されている上部連結棒とにより構成されて上記梱包対象物の前面および背面にそれぞれ配置される門型のパネル枠を備え、
上記門型のパネル枠は、上記上部連結棒とは別に上記支柱の高さ方向中間部同士を連結する中間連結部材が設けられ、上端部同士が各上端部にそれぞれ端部が取り付けられている関節機構を有する連結手段を屈伸させることにより互いに接離する方向に変位可能であることを特徴とする梱包枠具。
【請求項２】
４隅に支柱を有し、梱包対象物の周囲を囲繞可能な梱包枠具であって、
同一面内で垂直に設けられている一対の支柱と、上記支柱の上端間に架設されている上部連結棒とにより構成されて上記梱包対象物の前面および背面にそれぞれ配置される門型のパネル枠を備え、
上記門型のパネル枠は、上記上部連結棒とは別に上記支柱の高さ方向中間部同士を連結する中間連結部材が設けられ、
上記梱包対象物の前面および背面側にそれぞれ位置する上部連結棒同士には、長手方向各端部のそれぞれが連結棒に連結されて互いに交差する状態で配置されている連結手段が設けられ、
上記連結手段が交差角を変更されることにより上記上部連結棒同士が互いに接離する方向に変位することを特徴とする梱包枠具。
【請求項３】
請求項１または２記載の梱包枠具において、
上記パネル枠における中間連結部材には、梱包対象物の角部に対向可能な緩衝部材が一対で設けられ、該緩衝部材は、上記中間連結部材における長手方向の一方が上記中間連結部材での所定位置に固定され、長手方向の他方が一方に対して接離する方向に上記中間連結部材上を摺動できる構成とされていることを特徴とする梱包枠具。
【請求項４】
請求項３記載の梱包枠具において、
上記緩衝部材にはその外表面に上記梱包対象物の周辺を水平方向に周回させることができる固定ベルトの挿通部が設けられていることを特徴とする梱包枠具。
【請求項５】
請求項１乃至４のうちの一つに記載の梱包枠具において、
上記梱包対象物の前面および背面に位置する門型のパネル枠は、支柱下部に車輪を有して移動可能とされ、門型のパネル枠同士で形成される上記梱包対象物の収容空間前面および背面を除く底面と側面とが遮蔽されていない構成であることを特徴とする梱包枠具。
【発明の詳細な説明】
【０００１】
【発明の属する技術分野】
本発明は、梱包枠具に関し、さらに詳しくは、キャスタなどの車輪を有して自ら移動ができる構成を有した梱包対象物の周囲を囲繞できるとともに再使用が可能な梱包構造に関する。
【０００２】
【従来の技術】
梱包具として良く知られているものの一つに段ボール箱がある。段ボール箱は比較的小型の製品を梱包する際に用いられ、大型製品の場合にはパレットあるいは梱包対象物の周囲を囲繞できる木材で組み立てられた木枠などが用いられる。
【０００３】
これら梱包具は、製品の開梱後には記されることが多く、環境保全の観点からすると好ましいとはいえない場合がある。
【０００４】
近年、環境保全上の問題が大きく取り上げられるようになってきており、梱包具も例外ではない。
現在、環境問題に関する重要性が以前に増して認識されている。そのため企業としては従来からの利益創造活動とともに、環境保全活動を行うことが課題となっている。こうした背景により、資源の有効活用、廃棄物の削減などの点から、再利用可能な製品、部品、材料をリサイクルの促進が企業としての急務となっている。
【０００５】
リサイクル処理に関して、マテリアルリサイクルや再原料化のような、材料の形に戻す処理形態より、製品リユース（再使用）や部品リユースのような、製品、部品という形のまま再利用することが、環境負荷低減効果が大きい。また、企業にとって製品・部品のリユースを行うことは、再製造するコストに比べ、リユースすることにより製品コストを下げることができるという効果もある。したがって企業としても、製品・部品リユースを押し進めて行く必要がある。
【０００６】
製品・部品リユースをするためには、市場にある市場済み製品を回収して、再生処理を行うが、製品・部品リユースの再生処理を容易に進める上で、回収する製品・部品の品質のよい状態で回収をしなければならない。
しかしながら、例えば画像形成装置の一つである複写機の場合、現状はほとんどの回収製品が屋根の無いようなトラックの荷台に満載した、廃棄物と同様の形態で回収されている。このため、回収されて来る製品の品質は必ずしもいいものではない。これにより、リユースされる製品・部品の数というものは全体として少なくなり、結果として環境負荷低減効果が低くなり、さらに企業としても利益を得ることが難しくなる。
【０００７】
逆に再生品用として、製品出荷時のような形態で回収をすると、回収される製品の品質は向上し、リユース品が増え、環境負荷低減を図ることができるが、回収するためのコストが増大し、利潤を追求する企業にとって必ずしも得策ではない。このような状況から、製品・部品リユースを増やし、環境負荷低滅を図る上で、市場の使用済み製品を、再生可能な品質を保ちながら、なおかつコストを掛けずに回収することが求められている。
【０００８】
低コストにて使用済み製品を回収するためには、大型トラックに混載して輸送する方が有利である。しかしながら、現在使用済み複写機のトラックによる混載輸送回収において、ほとんどの製品品質低下要因は、外力によるものと思われるダメージである。ダメージの要因としては、トラック荷台に混載して輸送ナることにより、他機と接触することによりダメージを生じていることと考えられる。このため、回収品の品質を維持し、なおかつ低コストで複写機等の使用済み製品を回収するためには、回収品に対し簡易梱包を施し、トラックによる混載輸送が有効であると考えられる。
【０００９】
上述したダメージを避けるための複写機の簡易梱包として、毛布等で回収製品を包む、あるいはラップ等で回収製品を包む形態がある。これらの簡易梱包方法は、輸送体の外部キズを防止するという点において効果はあるが、外部からの強い衝撃に対してはあまり効果はない。特に上部から重いものを載せるような状態では、ほとんど効果をなさない。
【００１０】
複写機等の梱包対象物へのダメージであるキズあるいは外部からの衝撃への対策として、梱包対象物の周囲を囲繞する枠具を用いる梱包方法が提案されており、その一つには、梱包対象物の周囲を囲繞できるように４隅に支柱を配置し、支柱上部に架設された上部連結棒上で摺動することにより梱包対象物の角部を押さえることができる上部保持金具を設け、該上部保持金具には、支柱株に装填されるパレット上に搭載された梱包対象物を固定するための固定バンドが垂下されて設けられ、梱包対象物の前面および背面に位置する支柱同士を前後に近接する方向で折り畳める構成が提案されている（例えば、特許文献１）。
【００１１】
さらに、４隅に位置する支柱の下部に折り畳み可能なパレットを備え、梱包対象物の前後に位置する支柱を前後で近接する方向に折り畳めるようにした構成も提案されている（例えば、特許文献２）。
【００１２】
【特許文献１】
特開２００１−１３０６２２号公報（段落「００１３」〜「００２１」欄）
【特許文献２】
特開平６−２８６７５２号公報（段落「００３５」欄
【００１３】
【発明が解決しようとする課題】
上記各公報に開示されている構成を用いた梱包方法においては、梱包対象物の前後に位置する支柱同士を折り畳むことができるので、使用済みに際しては最小専有面積として回収保管に要するスペースに対する回収効率を上げることができ、また梱包対象物の大きさに合わせて変形できることにより、梱包具の共用化によりコストダウンが行える反面、次のような問題がある。
通常、梱包を行う際には、上記各公報にも開示されているように、梱包対象物を搭載可能なパレットが必要となる。パレットは梱包対象物に車輪が備えられている場合あるいはない場合のいずれにおいても梱包具と一体化されるようになっている。
パレットを有する梱包具を用いる場合には、梱包対象物を一度パレット上に持ち上げなければならない。このため、テレビなどと違って冷蔵庫や重量物が梱包対象物である場合には梱包対象物を持ち上げる際に一人で作業を行うことが困難となる場合がある。
【００１４】
一方、複写機の場合は、冷蔵庫などと同様に比較的大型の機種もあるが、一般に複写機には底部に移動用の車輪をキャスタとして備えていることが多く、これにより移動を含めて一人で搬入・搬出が行えるように便宜が図られている。このような構成の複写機をパレット上に搭載するということになれば、上述したように一人での作業は無理な場合があると共に、パレット上へ搭載した後に移動させることができない。この結果、移動できる装備があるにもかかわらず、新たに梱包対象物を移動させるための装置あるいは道具を必要とすることになり、簡単に一人で梱包・開梱さらには搬入・搬出の際の移動作業ができないという不具合がある。
加えて、上記各特許文献に開示されている構成では、４隅に位置する支柱のうちで、梱包対象物の前面および背面に位置する一対の支柱間には上部および高さ方向中間部にそれぞれ横桟状の連結棒が設けられ、梱包対象物の側方には折り畳み可能な連結部材が横架されているために、梱包時には着脱できる横桟が位置する側から梱包対象物を搬入するしかなく、梱包対象物の設置箇所によっては梱包具の向きを梱包対象物の搬入方向に対向させることが難しくなり、作業性が悪くなる虞がある。
【００１５】
本発明の目的は、上記従来の梱包具における問題に鑑み、車輪を装備して移動可能な梱包対象物の梱包・開梱作業および搬入・搬出作業を容易化できると共に作業済みの場合には再使用できる状態を維持できる構成を備えた梱包枠具を提供することにある。
【００１６】
【課題を解決するための手段】
請求項１記載の発明は、４隅に支柱を有し、梱包対象物の周囲を囲繞可能な梱包枠具であって、同一面内で垂直に設けられている一対の支柱と、上記支柱の上端間に架設されている上部連結棒とにより構成されて上記梱包対象物の前面および背面にそれぞれ配置される門型のパネル枠を備え、上記門型のパネル枠は、上記上部連結棒とは別に上記支柱の高さ方向中間部同士を連結する中間連結部材が設けられ、上端部同士が各上端部にそれぞれ端部が取り付けられている関節機構を有する連結手段を屈伸させることにより互いに接離する方向に変位可能であることを特徴としている。
【００１７】
請求項２記載の発明は、４隅に支柱を有し、梱包対象物の周囲を囲繞可能な梱包枠具であって、同一面内で垂直に設けられている一対の支柱と、上記支柱の上端間に架設されている上部連結棒とにより構成されて上記梱包対象物の前面および背面にそれぞれ配置される門型のパネル枠を備え、上記門型のパネル枠は、上記上部連結棒とは別に上記支柱の高さ方向中間部同士を連結する中間連結部材が設けられ、上記梱包対象物の前面および背面側にそれぞれ位置する上部連結棒同士には、長手方向各端部のそれぞれが連結棒に連結されて互いに交差する状態で配置されている連結手段が設けられ、上記連結手段が交差角を変更されることにより上記上部連結棒同士が互いに接離する方向に変位することを特徴としている。
【００１８】
請求項３記載の発明は、請求項１または２記載の発明に加えて、上記パネル枠における中間連結部材には、梱包対象物の角部に対向可能な緩衝部材が一対で設けられ、該緩衝部材は、上記中間連結部材における長手方向の一方が上記中間連結部材での所定位置に固定され、長手方向の他方が一方に対して接離する方向に上記中間連結部材上を摺動できる構成とされていることを特徴としている。
【００１９】
請求項４記載の発明は、請求項３記載の発明に加えて、上記緩衝部材にはその外表面に上記梱包対象物の周辺を水平方向に周回させることができる固定ベルトの挿通部が設けられていることを特徴としている。
【００２０】
請求項５記載の発明は、請求項１乃至４のうちの一つに記載の発明に加えて、上記梱包対象物の前面および背面に位置する門型のパネル枠は、支柱下部に車輪を有して移動可能とされ、門型のパネル枠同士で形成される上記梱包対象物の収容空間前面および背面を除く底面と側面とが遮蔽されていない構成であることを特徴としている。
【００２１】
【発明の実施の形態】
以下、図面により本発明の実施の形態を説明する。
図１は、本発明の実施の形態を説明するための実施例を示す図であり、同図において、梱包枠具１は、梱包対象物の前面および背面にそれぞれ対向するパネル枠２，２’を備えている。
パネル枠２，２’はいずれの同様な構成を備えており、図３において梱包対象物となる複写機Ｆの前面に対向するパネル枠２を対象として構成を説明すると次の通りである。なお、背面に対向するパネル枠については、前面に対向するパネル枠２の符号に「’」を付けて示す。
【００２２】
図１においてパネル枠２は、同一面内で垂直に設けられている一対のパイプで構成された支柱３，４を備えており、支柱３，４の上端間に架設された上部連結棒５によって正面視形状が門型をなしている。
パネル枠２の支柱３，４において高さ方向の中間位置には上部連結棒５とは別に中間位置同士を連結する中間連結部材６が設けられている。
上部連結棒５および中間連結部材６はいずれもパイプで構成され、その端部が支柱３，４に一体化されている。
【００２３】
梱包対象物である複写機Ｆの前面側および背面側にそれぞれ対向する門型のパネル枠２，２’は、測方において互いに近接する方向におり畳みできる状態で連結されている。
門型のパネル各２，２’同士における側面には、関節機構７Ａを途中に有する連結手段７が設けられている。
連結手段７は、関節機構７Ａにヒンジ結合された分割中間部を有する連結棒で構成され、関節機構７Ａと反対側の端部が各支柱３，４および３’、４’にそれぞれヒンジ結合されて屈伸することができるようになっている。本実施例では、屈曲時の連結手段７が前面および背面のパネル枠２，２’における側面から外側に出ない方向に屈曲する習性が関節機構７Ａに付与されている。これにより、前面および背面側のパネル枠２，２’が接近した場合に連結手段７が測方に張り出すことがなく、折り畳んだ際の専有面積を小さくすることができる。
【００２４】
中間連結部材６，６’には、その延長方向に沿って梱包対象物の角部に対向可能な緩衝部材８が設けられている。
緩衝部材８は、中間連結部材６、６’の延長方向に沿って一対で設けられ、一方の緩衝部材（便宜上、符号８Ａとする）が中間連結部材６，６’における所定位置に固定され、他方の緩衝部材が中間連結部材６，６’上を摺動できるようになっている。
【００２５】
各緩衝部材８には、その外表面に中間連結部材６，６’を挿通するブラケット９に加えて、図１および図２に示すように、後述する固定ベルト１０を挿通するための挿通部１１としてリング部材を備えている。
【００２６】
固定ベルト１０は、各緩衝部材８および８Ａの外側を周回されることにより梱包対象物の周囲を水平に周回する部材であり、各緩衝部材８，８Ａの外表面を迂回することにより緩衝部材８，８Ａを周回範囲外に変位させないように結索して規制している。固定ベルト１０は一端部がバックル状の留め具１２に固定され、他端部が各緩衝部材８，８Ａを周回してから留め具１２に至ることで係止されるようになっている。
【００２７】
前面および背面側に位置するパネル枠の要部である支柱３，４の下部には、水平面内で回転自在な支持部１３Ａを有する車輪１３が設けられており、梱包枠具１を押し動かす方向に順じて移動することができるようになっている。
【００２８】
本実施形態は以上のような構成であるから、梱包時には梱包対象物のサイズに合わせて連結手段７を屈伸させることにより、互いに接離する方向に移動した前面および背面の各パネル枠２，２’の間に梱包対象物を搬入する態位に設定できる。
【００２９】
搬入時には、各パネル枠２，２’同士の間に位置する側方および底部が遮蔽されていないので、測方からそのまま梱包対象物を搬入することができる。つまり、前面および背面の各パネル枠２，２’には横桟状の中間連結部材６が存在するものの、各パネル枠２，２’の間が相当する側面には何ら邪魔になるものがないので拡張された側面のスペース内にそのまま梱包対象物を搬入することができる。しかも、底部においてもパレットなどの搭載部材がないので、梱包対象物を持ち上げることなくそのまま搬入することができる。このときには、固定ベルト１０が留め具１２から外されて結索を解かれている。
【００３０】
図３は、梱包対象物として車輪Ｆ１を備えて自走可能な複写機Ｆを対象とした場合を示す図であり、同図において、複写機Ｆは、梱包枠具１の内部に搬入されると、その４隅が緩衝部材８によって保持される。このとき緩衝部材８は、一方の固定された緩衝部材８Ａに複写機Ｆの一方側の隅部を突き当てた状態を基準として他方が中間連結部材６上を摺動することにより複写機Ｆの他方側の隅部に当接することができ、その状態で固定ベルト１０が締め付けられる。
固定ベルト１０が締め付けられてその端部が留め具１２に係止されると、緩衝部材８，８Ａが外側から締め付けられた状態を維持することができ、これにより、梱包枠具１内に複写機Ｆを固定して一体化することができる。
梱包した状態で搬送する場合には、支柱３，４および３’、４’に有する車輪１３と複写機Ｆの車輪Ｆ１とを協働させて移動させることができる。これにより、梱包枠具１以外に他の搬送手段を準備することなく移動させることができる。
【００３１】
梱包状態にある梱包枠具１は、トラックの荷台上で回収された装置が積載されるような場合に上部から外力が作用すると、その外力が支柱３，４および車輪で受け止められるので、内部に位置する梱包対象物に直接が威力を作用させることがない。これにより、回収された梱包対象物へのダメージの発生を未然に防止することができる。
【００３２】
一方、開梱時には、上述した手順とは逆の手順により梱包枠具１内から梱包対象物を引き出せばよい。つまり、固定ベルト１０の端部を留め具１２から取り外して結索を解除したうえで、連結部材７を伸長させて梱包枠具１の側面を拡張することにより、それまで複写機Ｆにおける他方側の隅部に突き当たっていた緩衝部材８を隅部から離して複写機Ｆを側面から外部に引き出して搬出する。このような作業手順においては、前面および背面の各パネル枠２，２’に装備されている部材である中間連結部材６を操作することがないので、先行技術に挙げた後方に開示されている構成と違って、それら部材を元の状態に戻すというような作業を不要にすることができる。
【００３３】
開梱が終了した場合には、梱包枠具１が前面および背面のパネル枠２，２’同士が最も接近する状態に折り畳まれる。図４は、この状態を示しており、パネル枠２，２’同士が接近する方向（図示矢印方向）に連結部材７を折り畳むことにより使用済みの梱包枠具１の占有スペースが小さくなることにより、単位面積あたりで梱包枠具１の回収率を高めることができる、つまり、所定面積あたりでの回収数を多くすることができ、折り畳まれた梱包枠具１同士を積層した場合でもその保管スペースを小さくすることができる。折り畳まれた状態では、固定ベルト１０を締め付ける傾向とすることにより、緩衝部材８，８Ａを支持している中間連結部材６同士が離間するのを防止されて梱包枠具１が不用意に開くという事態の発生を防止することができる。
【００３４】
次に本発明の別の実施形態について説明する。なお、以下の説明において、図１乃至４に用いた部材と同じものは同符号により示し、その詳細な説明は省く。図５に示す実施形態は、図１に示した構成に用いられた屈曲可能な連結手段７に代えて、屈曲しない構成の連結手段１００，１００‘を交差させて用いることを特徴としている。
【００３５】
図５において、上部連結棒５，５’同士には、これら各連結棒５，５’に掛け渡されて、長手方向各端部が該連結棒５，５’の上部に位置するパイプあるいはロッド部材からなる連結手段１００，１００’が互いに交差した状態で配置されている。つまり、図５に示すように、交差した状態に相当するＸ字状に配置されており、長手方向端部のうちで一方の端部が上部連結棒に対してヒンジ結合されることにより揺動可能に支持され、他方の端部が詳細を示さないが、上部連結棒上で摺動可能に設けられている。従って、連結手段１００，１００’同士は、前面側および背面側のパネル枠２，２’を接離させる際に交差角を変化させることができるようになっている。
【００３６】
摺動可能にする構成としては、上部連結部５，５‘の軸方向に沿って摺動可能なスライド部材１００Ａ、１００Ａ’を連結棒５，５‘に挿嵌させて設け、スライド部材１００Ａ、１００Ａ’に対して連結手段１００，１００‘の端部をヒンジ結合する構成などが用いられる。なお、図５以降の図には、連結手段１００，１００’のヒンジ結合部は、便宜上、揺動支点を意味する一点鎖線で示してある。
【００３７】
これにより、連結手段１００，１００’は、平面視において前面および背面側のパネル枠２，２’同士を連結した状態で交差角を変更可能なＸ字状のリンク部材を構成している。
【００３８】
本実施形態は以上のような構成であるから、図１に示した構成の場合と同様に、内部に収納される梱包対象物のサイズに合わせて前面側および背面側のパネル枠２，２’の間隔を拡縮、換言すれば接離させることで交差角を変更することにより、収納用のスペースを確保することができる。図６は、図３に示した場合と同様に、複写機Ｆを梱包対象物として用いる場合を示しており、図７は、図４に示した場合と同様に、開梱が終了して折り畳まれた状態を示している。
【００３９】
前面側および背面側に位置するパネル枠２，２’は、接離する際にＸ字状のリンク部材を構成している連結手段１００，１００’によって移動することになるので、連結手段１００，１００’同士の交差角が変化するのに合わせて平行して移動しながら接離することができる。これにより、図１に示した関節を有する連結部材の場合のように、一方の連結部材のみが屈曲することが殆どないので、一方の連結部材のみが屈曲した場合に他方もこれに合わせて屈曲させる必要が生じた場合のような操作回数の増加を招くようなことがなく、作業操作性が良好となる。つまり、作業者は前面あるいは背面のパネル枠２，２’を互いに接離する方向に動かすだけで各パネル枠２，２’を平行移動させることができ、梱包対象物の収納スペースあるいは開梱スペースさらには折り畳み状態を簡単に得ることができる。
【００４０】
【発明の効果】
請求項１記載の発明によれば、門型のパネル枠が、その上端部同士を関節機構を有する連結手段により連結されて互いに接離する方向に変位できるので、門型のパネル枠同士の側方にはパネル枠同士を接離する構成がない。これにより、パネル枠の側方に接離機構を備えている構成と違って、側方から接離機構をどかせるなどの前作業を要することなく梱包対象物を搬入態勢のままで内部に入れることができ、梱包作業を容易化することができる。また開梱時にはこれと逆の手順により内部に位置する梱包対象物をそのまま引き出すことで搬出でき、搬出後においてもパネル枠に装備されている部材を元の状態に復元させるなどの後始末的な作業が必要をなくすことができる。
【００４１】
請求項２記載の発明によれば、上部連結棒同士に長手方向各端部が連結されて互いに交差する状態に配置されている連結手段が設けられているので、連結手段同士の交差角を変化させることで長手方向各端部に連結されている上部連結棒同士を平行移動させることができる。これにより、連結棒の平行度を調整することなく梱包対象物の収納あるいは開梱のためのスペース確保のための作業を簡単化することが可能となる。
【００４２】
請求項３および４記載の発明によれば、感光対象物における角部の位置に対応して変位可能な緩衝部材が設けられることによりサイズの異なる梱包対象物に対応して梱包対象物を固定することができる。しかも、梱包対象物の角部に位置している緩衝部材は水平方向に周回させられる固定ベルトの挿通部を外表面に備えているので、緩衝部材を設定した位置に固定させて梱包対象物が不用意に移動するのを阻止することができる。特に請求項３記載の発明では、梱包対象物の周辺で水平方向に周回させる固定ベルトを備えているので、梱包対象物の丈に関係なく同じ位置にて緩衝部材を固定することが可能となり、高さ方向での作業による身体負担を軽減することができる。
【００４３】
請求項５記載の発明によれば、門型のパネル枠を構成する支柱下部に車輪を備えているので、車輪を装備している梱包対象物の移動を許容することができ、さらには前面と背面とを除く底面と側面とが遮蔽されていないのでその面から梱包対象物を搬入・搬出することができる。これにより、パレットを用いた場合のような持ち上げ作業をなくして作業を容易にでき、さらには梱包状態にある梱包対象物を移容易に移動させることが可能となる。加えて、パネル枠上部に外力が作用してもパネル枠の支柱が車輪に支えられているので梱包対象物へ直接が威力が加わることがなく、梱包対象物の損傷を防止することが可能となる。
【図面の簡単な説明】
【図１】本発明の実施形態を説明するための実施例による梱包枠具の全体構成を示す斜視図である。
【図２】図１に示した梱包枠具に用いられる緩衝部材の構成を説明するための斜視図である。
【図３】図１に示した梱包枠具に梱包対象物を搬入した状態を示す斜視図である。
【図４】図２に示した梱包枠具の折り畳み状態を示す斜視図である。
【図５】本発明の別の実施形態を説明するための梱包枠具の全体構成を示す斜視図である。
【図６】図５に示した梱包枠具に梱包対象物を搬入した状態を示す斜視図である。
【図７】図６に示した梱包枠具の折り畳み状態を示す斜視図である。
【符号の説明】
１　梱包枠具
２，２’　パネル枠
３，４，３’、４’　支柱
５，５’　上部連結棒
６，６’　中間連結部材
７，１００，１００‘　連結手段
７Ａ　関節機構
８，８Ａ　緩衝部材
１０　固定ベルト
１１　ベルトの挿通部
【図１】
2004075194.tif 000003
【図２】
2004075194.tif 000004
【図３】
2004075194.tif 000005
【図４】
2004075194.tif 000006
【図５】
2004075194.tif 000007
【図６】
2004075194.tif 000008
【図７】
2004075194.tif 000009